(57)【特許請求の範囲】
【請求項１】
供給された紙を解繊する乾式解繊部と、
前記乾式解繊部で解繊された解繊物を移動するメッシュベルトに堆積し、堆積した解繊物で紙を成形する紙成形部と、
堆積した解繊物の厚さを検出する検出部と、
前記検出部による検出結果に基づいて、前記メッシュベルトの移動速度と前記乾式解繊部に供給する紙の投入速度とを制御する制御部と、
を有することを特徴とする紙再生装置。
【請求項２】
前記制御部は、前記解繊物の厚さが所定の厚みに達しない場合に、前記メッシュベルトの速度を遅くし、さらに、前記乾式解繊部に供給する紙の投入速度を速くする請求項１に記載の紙再生装置。
【請求項３】
前記制御部は、前記解繊物の厚さが所定の厚み以上の場合に、前記メッシュベルトの速度を速くし、さらに、前記乾式解繊部に供給する紙の投入速度を遅くする請求項１または請求項２に記載の紙再生装置。
【請求項４】
前記検出部は、発光部と受光部とを有するセンサである請求項１乃至請求項３のいずれか１項に記載の紙再生装置。
【請求項５】
解繊物を前記メッシュベルト上に吸引するサクション装置を有する請求項１乃至請求項４のいずれか１項に記載の紙再生装置。
【請求項６】
前記メッシュベルトに堆積した解繊物に水分を噴霧する水分噴霧器と、
前記水分噴霧器で水分を噴霧された解繊物を加熱する加熱ローラーと、
を有する請求項１乃至請求項５のいずれか１項に記載の紙再生装置。
【請求項７】
解繊部に紙を供給し、
供給された紙を解繊し、
解繊された解繊物を移動するメッシュベルトに堆積し、
堆積した解繊物の厚さを検出し、
前記解繊物の厚さが所定の厚みに達しない場合に、前記メッシュベルトの速度を遅くし、
さらに、前記解繊物の厚さが所定の厚みに達しない場合に、前記乾式解繊部に供給する紙の投入速度を速くし、
堆積した解繊物で紙を成形することを特徴とする紙再生方法。
【請求項８】
解繊部に紙を供給し、
供給された紙を解繊し、
解繊された解繊物を移動するメッシュベルトに堆積し、
堆積した解繊物の厚さを検出し、
前記解繊物の厚さが所定の厚み以上の場合に、前記メッシュベルトの速度を速くし、
さらに、前記解繊物の厚さが所定の厚み以上の場合に、前記乾式解繊部に供給する紙の投入速度を遅くし、
堆積した解繊物で紙を成形することを特徴とする紙再生方法。
【発明の詳細な説明】
【技術分野】
【０００１】
本発明は、水を極力利用しない乾式による紙再生技術に基づく紙再生装置及び紙再生方法に関する。
【背景技術】
【０００２】
従来、オフィスなどから排出される古紙のリサイクルにおいては、古紙を水に投入し、主に機械的作用により離解して、抄き直す、所謂、湿式方式が採用されている。このような湿式方式の古紙リサイクルは大量の水を必要とするため、安価にするために処理規模を大きくする必要がある。そのため大量の古紙収集が不可欠であり、水処理施設の整備のメンテナンスに手間がかかる上、さらに、乾燥工程に係るエネルギーが大きくなるという問題点があった。
【０００３】
ところで、オフィスからは機密事項が記載された古紙も排出されることから、機密保持の観点からも、古紙を自らのオフィス内で処理することが望まれている。ところが、小規模なオフィスから排出される古紙は量が少ないため、上記のような大規模な処理に必要な量を確保することが困難である。また、上記のような大規模処理のための設備をオフィス内に設置することも現実的ではない。そこで、紙のリサイクルのために、水を極力利用しない乾式による紙再生技術がこれまでいくつか提案されている。
【０００４】
例えば、特許文献１（特開平１−１４８８８８号公報）の記載の発明では、二次繊維源を乾式で繊維化することで、印刷されたインクを検出困難なほど微細なインク班点にすることで、新聞印刷用のシートとして利用することが開示されている。
【先行技術文献】
【特許文献】
【０００５】
【特許文献１】特開平１−１４８８８８号公報
【発明の概要】
【発明が解決しようとする課題】
【０００６】
しかしながら、特許文献１に記載の技術では、二次繊維源の種類により、投入される紙の坪量が異なるため、生産される紙の坪量もばらつく、という課題があった。
【課題を解決するための手段】
【０００７】
本発明は上記のような問題を解決するために、本発明に係る紙再生装置は、供給された紙を解繊する乾式解繊部と、前記乾式解繊部で解繊された解繊物を移動するメッシュベルトに堆積し、堆積した解繊物で紙を成形する紙成形部と、堆積した解繊物の厚さを検出する検出部と、前記検出部による検出結果に基づいて、前記メッシュベルトの移動速度と前記乾式解繊部に供給する紙の投入速度とを制御する制御部と、を有することを特徴とする。
【０００８】
また、本発明に係る紙再生装置は、前記制御部は、前記解繊物の厚さが所定の厚みに達しない場合に、前記メッシュベルトの速度を遅くし、さらに、前記乾式解繊部に供給する紙の投入速度を速くする。
【０００９】
また、本発明に係る紙再生装置は、前記制御部は、前記解繊物の厚さが所定の厚み以上の場合に、前記メッシュベルトの速度を速くし、さらに、前記乾式解繊部に供給する紙の投入速度を遅くする。
【００１０】
また、本発明に係る紙再生装置は、前記検出部は、発光部と受光部とを有するセンサである。
【００１１】
また、本発明に係る紙再生装置は、解繊物を前記メッシュベルト上に吸引するサクション装置を有する。
【００１２】
また、本発明に係る紙再生装置は、前記メッシュベルトに堆積した解繊物に水分を噴霧する水分噴霧器と、前記水分噴霧器で水分を噴霧された解繊物を加熱する加熱ローラーとを有する。
【００１３】
また、本発明に係る紙再生方法は、解繊部に紙を供給し、供給された紙を解繊し、解繊された解繊物を移動するメッシュベルトに堆積し、堆積した解繊物の厚さを検出し、前記解繊物の厚さが所定の厚みに達しない場合に、前記メッシュベルトの速度を遅くし、さらに、前記解繊物の厚さが所定の厚みに達しない場合に、前記乾式解繊部に供給する紙の投入速度を速くし、堆積した解繊物で紙を成形することを特徴とする。
また、本発明に係る紙再生方法は、解繊部に紙を供給し、供給された紙を解繊し、解繊された解繊物を移動するメッシュベルトに堆積し、堆積した解繊物の厚さを検出し、前記解繊物の厚さが所定の厚み以上の場合に、前記メッシュベルトの速度を速くし、さらに、前記解繊物の厚さが所定の厚み以上の場合に、前記乾式解繊部に供給する紙の投入速度を遅くし、堆積した解繊物で紙を成形することを特徴とする。
【００１４】
以上、本発明の紙再生装置及び紙再生方法は、安定した品質の再生紙を得ることが可能となる。
【図面の簡単な説明】
【００１５】
【図１】本発明の実施形態に係る紙再生装置の概略構成を示す模式図である。
【図２】本発明の実施形態に係る紙再生装置の制御ブロック構成の概略を示す図である。
【図３】本発明の他の実施形態に係る紙再生装置の概略構成を示す模式図である。
【発明を実施するための形態】
【００１６】
以下、本発明の実施の形態を図面を参照しつつ説明する。図１は本発明の実施形態に係る紙再生装置の概略構成を示す模式図である。本実施形態に係る紙再生装置は、水を極力利用しない乾式によって、古紙を新たな紙に再生する技術に基づくものである。
【００１７】
本実施形態に係る紙再生装置に供給する古紙としては、例えば、オフィスで現在主流となっているＡ４サイズの古紙などを用いる。このような古紙を紙再生装置の粗砕機１０に投入することで、粗砕機１０の粗砕刃１１によって古紙を数センチ角の紙片に分断する。また、このような粗砕機１０には、古紙を連続的に投入するための自動送り機構５が設けられていることが好ましい。自動送り機構５における投入速度は、生産性を考えると高いほうがよいが、高すぎると処理のための装置が大掛かりになるので、１０〜１００ｐｐｍが望ましい。
【００１８】
粗砕機１０における粗砕刃１１は通常のシュレッダーの刃の切断幅を広げたような装置とすることで対応が可能である。粗砕刃１１で数センチ角に分断された粗砕紙片は、ホッパー１２から粗砕紙導入管２０を経て次工程である解繊工程へと導かれる。
【００１９】
粗砕紙導入管２０は乾式解繊機３０の導入口３１に連通しており、導入口３１から乾式解繊機３０内に導かれた粗砕紙は、回転するローター３４と、ステーター３３と間で解繊される。乾式解繊機３０は気流も発生する機構となっており、解繊された繊維はこの気流に乗って排出口３２から第１搬送管４０へと導かれる。
【００２０】
ここで、乾式解繊機３０の具体例につき説明する。乾式解繊機３０には、例えば、ディスクリファイナーや、ターボミル（ターボ工業株式会社製）、セレンミラー（増幸産業業株式会社製）、特開平６−９３５８５号公報で開示されているような、風発生機構を備えた乾式古紙解繊装置を利用することができる。このような乾式解繊機３０へ投入する紙片のサイズは、通常のシュレッダーにより排出されるものでもよいが、紙の強度を考慮すると、シュレッダーで排出される機密処理用の細かい紙片（例えば５ｍｍ幅）より大きい方がよいが、大きすぎると乾式解繊機３０への投入が困難になるので、数センチ角に千切ったものが望ましい。
【００２１】
また、風発生機構を備える乾式解繊機３０においては、自らの発生する気流によって、導入口３１から、紙片を気流と共に吸引し、解繊処理し、排出口３２側へと搬送する。
【００２２】
例えば、ターボミル形式である、インペラーミル２５０（株式会社セイシン企業製）では、出口側に１２枚のブレードを設置することで、８０００ｒｐｍ（周速約１００ｍ／ｓ）のとき、約３ｍ3／ｍｉｎの風量を発生することができる。このときの導入口３１側での風速は約４ｍ／ｓでありこの気流に乗って紙片は導入される。導入された紙片は、高速回転するブレードと、ステーターの間で解繊され、排出口３２から排出される。排出速度は排出管径φ１００で約６．５ｍ／ｓである。
【００２３】
なお、風発生機構を備えていない乾式解繊機３０を用いる場合には、粗紙片を導入口３１に導く気流を別途設けるようにすればよい。
【００２４】
乾式解繊機３０における解繊工程では、紙片の形がなくなるまでパルプを繊維状に解繊することが、後の工程において成形される紙のムラがなくなるので好ましい。このとき、印刷されたインクやトナー、にじみ防止材等の紙への塗工材料等も粉砕され、数十μｍの粒となるまで粉砕される（以下インク粒）。したがって、乾式解繊機３０からのアウトプットは、紙片の解繊により得られる繊維とインク粒である。
【００２５】
また、乾式解繊機３０として、例えば、ディスクリファイナーを用いる場合には、円盤状の面に半径方向に刃が形成されているが、円周にふちのあるものが望ましい。また、ローター３４側の回転刃と、ステーター３３側の固定刃のギャップは紙片の厚さ程度、例えば１００−１５０μｍ程度に維持することが望ましい。このとき解繊物は回転刃の発生する気流により外周に移動し、排出口３２から排出される。
【００２６】
乾式解繊機３０の排出口３２から気流に乗った解繊物は、第１搬送管４０からサイクロン５０に導入される。ここで、第１搬送管４０の途中には管径縮小部４５が設けられている。この管径縮小部４５は第１搬送管４０において、繊維を搬送する気流の調整を行う調整部として機能する。すなわち、このような調整部においては、第１搬送管４０の搬送断面の調整を行うことで、第１搬送管４０における繊維を搬送する気流の調整を行っている。その結果、サイクロン５０の導入口５１における気流速度が、乾式解繊機３０の排出口３２における気流速度より大きいように調整される。
【００２７】
サイクロン５０においては脱墨工程が実施され、第１搬送管４０で搬送された繊維をインク粒と脱墨繊維とに気流分級する。なお、本発明においてはサイクロン５０に代えて他の種類の気流式分級器を利用することできるが、なかでもサイクロンは簡便な構造で望ましい。サイクロン以外の気流式分級器としては、例えば、エルボージェットやエディクラシファイヤ等が用いられる。気流式分級器は旋回気流を発生させ、混合物をその遠心力とサイズによって分離、分級するもので、気流の速度、遠心力の調整により、分級点を調整できる。
【００２８】
サイクロン５０によって脱墨を行う上では、接線入力方式のサイクロンが比較的簡便な構造であり望ましい。このサイクロン５０は、導入口５１と、導入口５１が接線方向についた円筒部５２、円筒部５２に続く逆円錐部５３、逆円錐部５３の頂点に設けられる下部取出口５４、円筒部５２上部中央に設けられる微粉排出のための上部排気口５５から構成される。気流に乗った解繊物（繊維とインク粒の混合物）は約１０−２０ｍ／ｓで導入口５１から導入されるのが望ましい。
【００２９】
脱墨工程においては、サイクロン５０の導入口５１から導入された解繊物をのせた気流は、外径φ１００−３００ｍｍ程度の円筒部５２で円周運動に変わり、遠心力かかり、気流との相乗効果で、繊維は絡み合い大きくなり、インク粒が分離され、逆円錐部５３へと移動し、分離したインク粒は空気とともに微粉として上部排気口５５へ導出され、脱墨が進行する。
【００３０】
ところで、サイクロン５０への導入速度は高い方が有利である。また、乾式解繊機３０での排出風速よりサイクロン導入部での速度が低いと第１搬送管４０の中に、解繊物が滞留することになり、サイクロン５０へ導入部の単位長あたりの密度が高くなり脱墨性能が低下する。
【００３１】
そこで、本発明に係る紙再生装置においては、第１搬送管４０の途中には管径縮小部４５を設けて、サイクロン５０の導入口５１における気流速度が、乾式解繊機３０の排出口３２における気流速度より大きいように調整されている。
【００３２】
以下、具体例を挙げて説明する。乾式解繊機３０から排出（φ１００で断面積約７８ｃｍ2）された解繊物が、（１）１００ｍｍ×５０ｍｍの一定の角断面（断面積約５０ｃｍ2）を有する第１搬送管４０からサイクロン５０の導入口５１から導入されて気流分級された場合における、サイクロン５０で回収した微粉の回収量は２．９重量％（紙再生装置に供給した古紙の総量を１００重量％として）であり、後の成形工程で再生された紙の白色度は８２（Ｘｌｉｔｅ-Ｌ値）であった。また、このとき、サイクロン５０の導入口５１での気流速度は１０ｍ／ｓであった。
【００３３】
乾式解繊機３０から排出された解繊物が、（２）１００ｍｍ×５０ｍｍの角断面から１００ｍｍ×４０ｍｍの角断面（断面積約４０ｃｍ2）となる管径縮小部４５を有する第１搬送管４０からサイクロン５０の導入口５１から導入されて気流分級された場合における、サイクロン５０で回収した微粉の回収量は３．８重量％（紙再生装置に供給した古紙の総量を１００重量％として）であり、後の成形工程で再生された紙の白色度は８８（Ｘｌｉｔｅ-Ｌ値）であった。また、このとき、サイクロン５０の導入口５１での気流速度は１２．５ｍ／ｓであった。
【００３４】
乾式解繊機３０から排出された解繊物が、（３）１００ｍｍ×５０ｍｍの角断面から１００ｍｍ×３０ｍｍの角断面（断面積約３０ｃｍ2）となる管径縮小部４５を有する第１搬送管４０からサイクロン５０の導入口５１から導入されて気流分級された場合における、サイクロン５０で回収した微粉の回収量は４．９重量％（紙再生装置に供給した古紙の総量を１００重量％として）であり、後の成形工程で再生された紙の白色度は９１（Ｘｌｉｔｅ-Ｌ値）であった。また、このとき、サイクロン５０の導入口５１での気流速度は１６．７ｍ／ｓであった。
【００３５】
なお、乾式解繊機３０から排出された解繊物をサイクロン５０によって分級せずに再生紙を成形した場合の白色度は７９（Ｘｌｉｔｅ-Ｌ値）であった。
【００３６】
（１）乃至（３）のいずれの場合においても、サイクロン５０で回収した微粉には、綿状の短繊維も若干含まれているが、インク粒が多量に含まれており、脱墨されていることが確認された。
【００３７】
以上のような脱墨工程によれば、サイクロン５０における上部排気口５５から気流にのって排出されるものは、第３搬送管７０を経て、受け部９０に回収される。この受け部９０で回収されるものには、前述したようにインク粒が多量に含まれた短繊維混合物が回収されることとなる。
【００３８】
また、前記の脱墨工程によれば、サイクロン５０における下部取出口５４から排出されるものは脱墨された繊維であり、この脱墨繊維は第２搬送管６０から紙成形機１００に導入される。紙成形機１００は、例えば特表２００８−５０８４４３号公報に記載されているようなものを利用することができる。
【００３９】
紙成形機１００の概略について説明する。紙成形機１００は、概略、脱墨した繊維を空気中に均一に分散させる機構と、これにより分散された脱墨繊維をメッシュベルト１２２上に吸引する機構と、を有している。
【００４０】
紙成形機１００におけるフォーミングドラム１０１の表面には小孔スクリーンが設けられており、これから脱墨繊維が吐出されるようになっている。また、フォーミングドラム１０１の内部には、回転可能なニードルロール１０２が設けられており、フォーミングドラム１０１の表面の小孔スクリーンに目詰まりが生じないように、脱墨繊維を浮かすようになっている。なお、２つのフォーミングドラム１０１は不図示の箇所で連通するようになっている。以上のような構成により、脱墨した繊維を空気中に均一に分散させる。
【００４１】
紙成形機１００の下方においては、張架ローラー１２１によって張架されるメッシュが形成されているエンドレスのメッシュベルト１２２が配されている。張架ローラー１２１のうちの少なくとも自転することで、このメッシュベルト１２２は図中矢印に示す方向に移動するようになっている。また、メッシュベルト１２２はこれに当接するクリーニングブレード１２３によって表面の汚れ等が除去される。
【００４２】
また、２つのフォーミングドラム１０１の鉛直下方には、メッシュベルト１２２を介する形で、鉛直下方に向けた気流を発生させるサクション装置１１０が設けられている。このようなサクション装置１１０によって、空気中に分散された脱墨繊維をメッシュベルト１２２上に吸引する。
【００４３】
以上のような構成において、第２搬送管６０によって搬送された脱墨繊維は、紙を成形するための紙成形機１００に導入される。紙成形機１００において、脱墨された繊維はサイクロン５０中で絡み合っているので、ニードルロール１０２等で再度ほぐされることとなる。ほぐされた脱墨繊維は、フォーミングドラム１０１表面の小孔スクリーンを通過し、サクション装置１１０による吸引力によって、メッシュベルト１２２上に堆積される。このとき、メッシュベルト１２２を移動させることにより、均一なシート状の脱墨解繊物を堆積することができる。この脱墨解繊物が再生紙（Ｐ）となる。
【００４４】
メッシュベルト１２２上に堆積された脱墨解繊物は、赤外線を発する発光部１９１と、前記脱墨解繊物及びメッシュベルト１２２を介して、発光部１９１からの照射光を受光する受光部１９２とからなる厚さセンサ１９０が設けられている。
【００４５】
メッシュベルト１２２は金属性でも、樹脂性でも、不織布でも脱墨繊維が堆積でき、気流を通過させることができれば、どのようなものでもよいが、メッシュの穴径が大きすぎると紙Ｐを成形したときの凸凹になるので、前記穴径は６０−１２５μ程度が望ましい。また、６０μ以下では、サクション装置１１０による安定した気流を形成しづらい。サクション装置１１０はメッシュベルト１２２下に所望のサイズの窓を開けた密閉箱を形成し、窓以外から空気を吸引し箱内を真空にすることで形成することができる。
【００４６】
メッシュベルト１２２上に堆積された脱墨繊維のシートは、そのままプレスしたのでは紙強度が不足するので、水分噴霧器１３０によって水分を噴霧添加することで繊維間の水素結合を増強する。
【００４７】
その後、水分噴霧器１３０によって水分を噴霧された再生紙（Ｐ）はメッシュベルト１２２の移動に伴い、ヒーターローラー１４０を通過するが、このヒーターローラー１４０によって加熱・加圧されることで、繊維間隔を短くし繊維間の接触点が増やされる。これにより、再生紙（Ｐ）はさらに紙としての強度を向上し、余分な水分を乾燥させることで、すぐれた紙にすることができる。乾燥は、プレスローラー内にヒーターを設置することで、加圧と乾燥を同時にすることが望ましい。なお、水分噴霧器１３０で噴霧する水分には澱粉やＰＶＡ等のいわゆる紙力増強剤を添加しておくことで、紙力を増強することが可能である。
【００４８】
上記のようにして得られた再生紙（Ｐ）は表面平滑性を向上させるため、カレンダーローラー１５０によって処理をすることもできる。カレンダーローラー１５０で処理された再生紙（Ｐ）は、裁断機１６０によって所望のサイズにカットされ、スタッカー１７０などに積載される。
【００４９】
以上のように構成される紙再生装置の制御例について説明する。図２は本発明の実施形態に係る紙再生装置の制御ブロック構成の概略を示す図である。図２において、主制御部２００は本発明に係る紙再生装置の各制御を行うためのメインコントローラである。このような主制御部２００としては、ＣＰＵやＲＡＭ、ＲＯＭ等を備える汎用の情報処理装置を用い、入力された所定情報に基づいて所定ブロックへの命令を出力する動作を前記ＣＰＵに実行させるプログラムを予め前記ＲＯＭに記憶させることによって実現することが可能である。
【００５０】
メッシュベルト１２２上に堆積された脱墨解繊物の厚さを検出する厚さセンサ１９０による検出結果は、上記のような主制御部２００に入力される。主制御部１５０では、厚さセンサ１９０から出力される検出結果データを処理し、紙再生装置の制御のために利用する。
【００５１】
また、主制御部２００は、自動送り機構５における古紙の送り速度を制御するための制御指令信号を出力するようになっており、自動送り機構５ではこれを受信すると、これに基づいて古紙の送り速度を調整する。
【００５２】
また、主制御部２００は、乾式解繊機３０におけるローター３４の回転速度を制御するための制御指令信号を出力するようになっており、乾式解繊機３０ではこれを受信すると、これに基づいてローター３４の回転速度を調整する。
【００５３】
また、主制御部２００は、紙成型機１００における紙成形のプロセス速度を制御するための制御指令信号を出力するようになっており、紙成型機１００ではこれを受信すると、これに基づいてプロセス速度を調整する。
【００５４】
また、主制御部２００は、サクション装置１１０における吸引力を制御するための制御指令信号を出力するようになっており、サクション装置１１０ではこれを受信すると、これに基づいて吸引力の調整を行う。
【００５５】
次に、以上のように構成される紙再生装置の制御例を説明する。本発明の紙再生装置によって得られる再生紙については、メッシュベルト１２２上に堆積される脱墨繊維の量で、その坪量が決定される。
【００５６】
自動送り機５により装置に投入される古紙の坪量は例えば、６０ｇ程度の薄紙から１２０ｇ程度の厚紙まで、一定していないので、投入する古紙の枚数を一定で投入すると、処理される繊維の量がばらつき、生産される紙の坪量もばらつくことになる。
【００５７】
また、脱墨工程において、脱墨される量も、粉砕されるインクの量にてばらつくので、サイクロン５０の微粉側（上部排気口５５側）に回る量もばらつき、その結果、得られる脱墨された解繊物の量もばらつき、紙の坪量のばらつきにつながる。
【００５８】
そこで、本実施形態においては、メッシュベルト１２２上に堆積された脱墨解繊物の厚さを測定し、メッシュベルト１２２の速度や自動送り機５による古紙の投入量の速度へフィードバックする。
【００５９】
具体的には、装置を始動し、メッシュベルト１２２上に脱墨繊維が堆積した直後に、厚さセンサ１９０によって、堆積物の厚さを測定し、その測定結果が所定の厚みに達しない場合は、メッシュベルト速度を遅くし、さらに足りなければ、自動送り機５における古紙の投入速度を上げ、所定の厚み以上である場合は、メッシュベルト速度を早くし、それでも多い場合は、自動送り機５における古紙の投入速度を下げる。前記所定の厚さの設定は、乾式解繊機３０における解繊強度や、サクション装置１１０のサクションの力、所望とする完成再生紙の厚さで変わることとなるが、およその目安としては、堆積物の厚さが約４−５ｍｍ程度である場合、約１００−１５０μの再生紙ができる。
【００６０】
このように本実施形態においては、紙成形機１００によって成形される紙の厚さ（脱墨繊維物の厚さ）を厚さセンサ１９０で検出して、主制御部２００は厚さセンサ１９０による検出結果に基づいてメッシュベルト１２２の速度、乾式解繊機３０に供給する紙の量を、自動送り機５を制御することで調整している。これによれば、安定した品質の再生紙を得ることが可能となる。
【００６１】
以上のような本発明の紙再生装置及び紙再生方法は、サイクロン５０などの分級部によって、古紙の繊維をインク粒と脱墨繊維とに気流分級し、前記脱墨繊維で紙を成形するので、本発明の紙再生装置及び紙再生方法によれば、白色度が向上した、新聞印刷用紙以外の用途に幅広く利用することが可能な紙を再生することが可能となる。また、本発明の紙再生装置及び紙再生方法によれば、利用する水分が最低限の水分ですむので、装置を小型化しても、湿式方式に比べ、乾燥に時間がかからず、１０ｐｐｍ以上の高い生産性が望める。
【００６２】
次に本発明の他の実施形態を説明する。図２（（図３））は本発明の他の実施形態に係る紙再生装置の概略構成を示す模式図である。図２（（図３））において、先の実施形態と同様の参照符号が付された構成については、先のものと同様であるので説明を省略する。
【００６３】
本実施形態が先の実施形態と異なる第１の点は、本実施形態においては、サクション装置１１０によって吸引された気流を、第４搬送管１８０を用いて、乾式解繊機３０の導入口３１に導いている点である。これによって、粗砕機１０からの粗砕紙片は、気流の付勢を得て乾式解繊機３０内に進入することとなる。このような構成によれば、乾式解繊機３０の排出口３２における気流速度は、先の実施形態の気流速度よりさらに高めることができる。そして、結果的に、サイクロン５０の導入口５１における気流速度も、先の実施形態の気流速度よりさらに高めることができ、サイクロン５０における脱墨効率向上を期待することができる。
【００６４】
また、本実施形態が先の実施形態と異なる第２の点は、本実施形態においては、第３搬送管７０にブロアなどの吸引部９１が設けられ、サイクロン５０の上部排気口５５からの排出気流をより高め、さらにはサイクロン５０の導入口５１での気流速度をより高めるようにしている。この結果、先の実施形態にまして、サイクロン５０における脱墨効率向上を期待することができる。このときブロアの吸引方法は、サイクロン出口で逆流しない程度にするか、サイクロン出口を一時的に塞ぎ脱墨をし、ブロアを停止してから出口を空けることを繰り返す断続駆動をすることもできる。
【００６５】
以上、本発明の紙再生装置及び紙再生方法は、分級部によって、古紙の繊維をインク粒と脱墨繊維とに気流分級し、前記脱墨繊維で紙を成形するので、本発明の紙再生装置及び紙再生方法によれば、白色度が向上した、新聞印刷用紙以外の用途に幅広く利用することが可能な紙を再生することが可能となる。
【００６６】
また、本発明の紙再生装置及び紙再生方法によれば、装置の小型化が可能であり、オフィスにも設置が可能であるので、比較的小さいオフィスで発生する少量の機密書類の処理と同時に紙のリサイクルを行うことができる。
【００６７】
また、本発明の紙再生装置及び紙再生方法によれば、極力水分を使わない構成であるので、水処理設備の軽減が可能で装置構成が簡便となり、さらに、水分を乾燥させるための大規模なヒーターなどが不要なり、古紙のリサイクルにおけるエネルギー効率が高い。
【００６８】
また、本発明の紙再生装置及び紙再生方法によれば、比較的短い時間で紙の再生を行うことができるので、生産性が高い。
【符号の説明】
【００６９】
５・・・自動送り機構、１０・・・粗砕機、１１・・・粗砕刃、１２・・・ホッパー、２０・・・粗砕紙導入管、３０・・・乾式解繊機、３１・・・導入口、３２・・・排出口、３３・・・ステーター、３４・・・ローター、４０・・・第１搬送管、４５・・・管径縮小部、５０・・・サイクロン、５１・・・導入口、５２・・・円筒部、５３・・・逆円錐部、５４・・・下部取出口、５５・・・上部排気口、６０・・・第２搬送管、７０・・・第３搬送管、９０・・・受け部、９１・・・吸引部、１００・・・紙成形機、１０１・・・フォーミングドラム、１０２・・・ニードルロール、１１０・・・サクション装置、１２１・・・張架ローラー、１２２・・・メッシュベルト、１２３・・・クリーニングブレード、１３０・・・水分噴霧器、１４０・・・ヒーターローラー、１５０・・・カレンダーローラー、１６０・・・裁断機、１７０・・・スタッカー、１８０・・・第４搬送管、１９０・・・厚さセンサ、１９１・・・発光部、１９２・・・受光部、２００・・・主制御部。
【図１】
0005910777.tif 000002
【図２】
0005910777.tif 000003
【図３】
0005910777.tif 000004